(57)【要約】【課題】塗布時に手を汚すことがなく、かつ使い捨ても容易で、清潔で衛生的であり、また、携帯に便利な化粧料塗布器を提供する。【解決手段】細長い筒状の容器本体10と、容器本体10の内部に繰り出し自在に設けられたスポンジ状の塗布具20と、容器本体10の上部に被着されるキャップ30とからなる。塗布具20はその底部が容器本体内において受け皿に保持され、該受け皿には外側に突出するレバー43が設けられており、容器本体10の側面には、レバー43を容器本体10の軸心方向に移動させるためのスライド孔11が設けられ、かつレバー43を所定の高さ位置に保持するための係止孔12がスライド孔11の長手方向に適宜間隔をおいて複数設けられている。【選択図】図１
0003110661.tif 000002
【実用新案登録請求の範囲】
【請求項１】
細長い筒状の容器本体と、容器本体の内部に繰り出し自在に設けられたスポンジ状の塗布具と、容器本体の上部に被着されるキャップとからなる、化粧料塗布器。
【請求項２】
前記塗布具はその底部が容器本体内において受け皿に保持され、該受け皿には外側に突出するレバーが設けられており、前記容器本体の側面には、前記レバーを容器本体の軸心方向に移動させるためのスライド孔が設けられ、かつ前記レバーを所定の高さ位置に保持するための係止孔が前記スライド孔の長手方向に適宜間隔をおいて複数設けられている、請求項１に記載の化粧料塗布器。
【請求項３】
前記塗布具はその底部が容器本体内において受け皿に保持され、前記容器本体の底部側端部は回動可能に形成されており、この底部側端部の回動に伴って前記受け皿が上下動するように構成された、請求項１に記載の化粧料塗布器。
【請求項４】
前記塗布具はその底部が容器本体内において受け皿に保持され、該受け皿は前記容器本体の内部壁面に沿って上下動可能に設けられており、前記容器本体の底部には透孔が形成され、該透孔に指を入れて前記受け皿を押し上げ可能に構成した、請求項１に記載の化粧料塗布器。
【請求項５】
前記キャップの内部にファウンデーションその他の化粧料を備えた、請求項１〜４のいずれかに記載の化粧料塗布器。
【請求項６】
前記化粧料は、皿状の容器に充填された状態で前記キャップの内部に着脱自在に装填されている請求項５に記載の化粧料塗布器。
【請求項７】
前記化粧料は、皿状の容器に充填された状態で前記キャップに設けた収容部に装填されるとともに、該収容部は、その縁部に位置する軸部を支点として前記キャップに、水平方向に回動可能に設けられている、請求項６に記載の化粧料塗布器。
【請求項８】
前記塗布具には、塗布具の径方向の切除を可能とするための切込が塗布具の長さ方向に適宜間隔をおいて複数段にわたり形成されている、請求項１〜７のいずれかに記載の化粧料塗布器。
【考案の詳細な説明】
【技術分野】
【０００１】
本考案は、ファウンデーション、ヘアカラーリング剤その他の化粧料を身体（皮膚や毛髪）に塗布するための化粧料塗布器に関する。
【背景技術】
【０００２】
従来、ファウンデーション等の化粧料を皮膚に塗布する際、スポンジ状のパフを用いることが行われている。パフとしては、円盤状のものや楔形の断面をもつ板状のものがよく知られている。このようなパフは、使用に伴い、パフが化粧料で汚れると、洗浄しなければならないという問題がある。また、これらのパフは、化粧料を付けて手に持って使用するため、どうしても塗布時に手が汚れるという問題がある。
特許文献１には、短柱形状のスポンジ体において、その中央から放射状に、一部を引き離し可能な連結部として残した切断面（切れ目）を多数形成してなることを特徴とする化粧用具が開示されており、この化粧用具によれば、コンパクトで乱雑感のない一つの製品から、化粧品塗布に甚だ適した均一形状の塗布用具が多数得られるという効果が奏されると記載されている。
上記特許文献１に記載の化粧用具によれば、使い捨てが容易であるという点で衛生面での改善が図られるものの、塗布時に手が汚れるという問題は依然として解消されていない。また、携帯性についての配慮は特になされておらず、外出時などにおいて携帯しやすいものとはいいがたい。
【０００３】
【特許文献１】登録実用新案第３００４３３３号公報
【考案の開示】
【考案が解決しようとする課題】
【０００４】
本考案は、上記従来技術を考慮してなされたものであり、その目的は、塗布時に手を汚すことがなく、かつ使い捨ても容易で、清潔で衛生的であり、また、携帯に便利な化粧料塗布器を提供することにある。
【課題を解決するための手段】
【０００５】
上記課題を解決するため、本考案に係る化粧料塗布器は、細長い筒状の容器本体と、容器本体の内部に繰り出し自在に設けられたスポンジ状の塗布具と、容器本体の上部に被着されるキャップとからなる構成を採用した。
本考案においては、前記塗布具はその底部が容器本体内において受け皿に保持され、該受け皿には外側に突出するレバーが設けられており、前記容器本体の側面には、前記レバーを容器本体の軸心方向に移動させるためのスライド孔が設けられ、かつ前記レバーを所定の高さ位置に保持するための係止孔が前記スライド孔の長手方向に適宜間隔をおいて複数設けられている構成を採用することができる。
また、前記塗布具はその底部が容器本体内において受け皿に保持され、前記容器本体の底部側端部は回動可能に形成されており、この底部側端部の回動に伴って前記受け皿が上下動するように構成することもできる。
また、前記塗布具はその底部が容器本体内において受け皿に保持され、該受け皿は前記容器本体の内部壁面に沿って上下動可能に設けられており、前記容器本体の底部には透孔が形成され、該透孔に指を入れて前記受け皿を押し上げ可能に構成することもできる。
また、前記キャップの内部にファウンデーションその他の化粧料を備えたものが好ましい。さらに、この化粧料は、皿状の容器に充填された状態で前記キャップの内部に着脱自在に装填されているものが好ましい。
また、前記化粧料は、皿状の容器に充填された状態で前記キャップに設けた収容部に装填されるとともに、該収容部は、その縁部に位置する軸部を支点として前記キャップに、水平方向に回動可能に設けられているものが好ましい。
また、前記塗布具には、塗布具の径方向の切除を可能とするための切込が塗布具の長さ方向に適宜間隔をおいて複数段にわたり形成されているものが好ましい。
【考案の効果】
【０００６】
本考案に係る化粧料塗布器によれば、容器本体からキャップを外してスポンジ状の塗布具を容器本体の内部から繰り出し、容器本体を手に持った状態で使用するため、塗布時に手を汚すことがなく、また、使用によって汚れた塗布具は、適宜その先端部分を切除すれば新しいきれいな断面が現れるため、汚れた部分の使い捨てが容易であり、清潔に衛生的に使用することができる。また、使用後は塗布具を容器本体の内部に戻してキャップを被せればよく、携帯にも便利である。
また、前記塗布具はその底部が容器本体内において受け皿に保持され、該受け皿には外側に突出するレバーが設けられており、前記容器本体の側面には、前記レバーを容器本体の軸心方向に移動させるためのスライド孔が設けられ、かつ前記レバーを所定の高さ位置に保持するための係止孔が前記スライド孔の長手方向に適宜間隔をおいて複数設けられている構成により、塗布具の繰り出しと戻しが簡便に行われるとともに、構造も比較的簡単であるため、製造コストも低廉に抑えることができる。
また、前記塗布具はその底部が容器本体内において受け皿に保持され、前記容器本体の底部側端部は回動可能に形成されており、この底部側端部の回動に伴って前記受け皿が上下動するように構成することにより、塗布具の繰り出しと戻しをきわめて簡便に行うことができる。
また、前記塗布具はその底部が容器本体内において受け皿に保持され、該受け皿は前記容器本体の内部壁面に沿って上下動可能に設けられており、前記容器本体の底部には透孔が形成され、該透孔に指を入れて前記受け皿を押し上げ可能に構成することにより、構造が簡単で、製造コストも低廉に抑えることができる。
また、キャップの内部の上面にファウンデーションその他の化粧料を備えたものとすることにより、パフと化粧料とが一体化したものとなり、より携帯性の優れたものとなる。さらに、化粧料は、皿状の容器に充填された状態でキャップの内部に着脱自在に装填されている構成によれば、化粧料が減ったときなど、化粧料を容器とともにキャップから取り外すことができるため、化粧料の詰替え、交換はその容器単位で簡単に行うことができ、便利である。
また、前記化粧料は、皿状の容器に充填された状態で前記キャップに設けた収容部に装填されるとともに、該収容部は、その縁部に位置する軸部を支点として前記キャップに、水平方向に回動可能に設けられている構成により、使い勝手がより良いものとなる。
また、塗布具には、塗布具の径方向の切除を可能とするための切込が塗布具の長さ方向に適宜間隔をおいて複数段にわたり、形成されているものとすることにより、使用によって汚れた塗布具の先端部分の切除を、器具を用いることなく手指のみで簡単に行うことができ、使い勝手がよいものとなる。
【考案を実施するための最良の形態】
【０００７】
本考案を実施するための好ましい形態についていくつかの実施例を挙げ、図面を参照して説明する。各図において、同じ構成要素には同じ符号を用い、重複する説明は適宜省略する場合がある。
【実施例１】
【０００８】
図１は実施例１に係る化粧料塗布器１の斜視図、図２は縦断面図である。
化粧料塗布器１は、細長い筒状の容器本体１０と、容器本体１０の内部に繰り出し自在に設けられたスポンジ状の塗布具２０と、容器本体１０の上部に被着されるキャップ３０とを有してなる。
容器本体１０及びキャップ３０は、通常、合成樹脂材を成形して形成される。容器本体１０は縦長の筒形をなし、底部１０ａを有している。容器本体１０の断面形状は、円形に限られるものではなく、多角形状であってもよい。
スポンジ状の塗布具２０は、各種化粧料を付着させてこれを皮膚その他の身体部分に塗布するためのものであり、ファウンデーションを付ける塗布器として構成する場合は、パフとして用いられる素材が使用される。また、ヘアカラーリング剤を付ける塗布器として構成する場合等、それら化粧料の性状に合わせてこれに適した任意のスポンジ体を用いることができる。スポンジ状の塗布具２０は、容器本体１０の断面形状に適合する断面形状を有し、縦長に形成されている。塗布具２０の大きさは、通常、径が５〜１００ｍｍ、好ましくは１５〜２０ｍｍ、高さが通常１０〜２００ｍｍ、好ましくは３０〜5 ０ｍｍ程度である。
キャップ３０は容器本体１０に対して、螺着、嵌着等の適宜手段によって被着される。また、キャップ３０の内部にファウンデーションその他の化粧料９０を備えたものとすることにより、パフ（塗布具）と化粧料とが一体化したものとなり、より携帯性の優れたものとなる。
なお、化粧料９０をキャップ３０の内部上面に充填し、キャップ３０を容器本体１０に対して螺着する構成を採れば、使用後、塗布具２０を容器本体１０から突出させて化粧料９０に接する状態でキャップを被せれば、次の使用時、キャップ３０を回し緩めるだけで化粧料９０が塗布具２０に付き、便利である。
【０００９】
次に、実施例１における、スポンジ状の塗布具２０を容器本体１０の内部に繰り出し自在に設けるための構成を説明する。
塗布具２０は、その底部が容器本体１０内において受け皿４０に接着等の適宜固定手段によって保持されている。受け皿４０は、容器本体１０の内径よりわずかに小さく形成され、容器本体１０の内部を軸心方向に沿って上下動できる大きさに形成されている。受け皿４０は、低い周壁４１を有し、この周壁４１には外側に突出する棒状のレバー４３が設けられている。
容器本体１０の側面には、レバー４３を容器本体１０の軸心方向に移動させるためのスライド孔１１と、レバー４３を所定の高さ位置に保持するための係止孔１２がスライド孔１１の長手方向に適宜間隔をおいて複数設けられている。スライド孔１１は容器本体１０の高さ方向に延びる縦長で、容器本体１０の側面を貫通して形成され、係止孔１２はスライド孔１１にほぼ直交する方向に形成され、スライド孔１１に接続している。レバー４３は、これらスライド孔１１及び係止孔１２を挿通する長さを有し、容器本体１０の外に突出している。係止孔１２は、レバー４３が所定位置に保持されて容易に動かないよう、レバー４３の大きさに合わせて形成するか、あるいは鉤状に形成するのがよい。
【００１０】
上記の構成によって、塗布具２０の繰り出し及び戻しは、容器本体１０の外に突出したレバー４３をスライド孔１１に沿って移動することにより行われる。また、塗布する際は、レバー４３を係止孔１２に位置させることにより、塗布具２０の繰り出し程度（高さ方向の位置）を決めて固定することができる。係止孔１２はスライド孔１１の長手方向に適宜間隔をおいて複数設けられているため、塗布具２０の繰り出し程度は多段階に調整できる。
また、塗布具２０が使用によって汚れてきた場合、適宜その先端部分を切除すれば新しいきれいな断面が現れるため、清潔感を失わずに長期間使用することが可能である。塗布具２０の先端部分を切除後、次回に使用する場合は、塗布具２０の高さに応じて繰り出し程度を大きくすればよい。
【実施例２】
【００１１】
図３は実施例２に係る化粧料塗布器１の縦断面図である。
実施例２及び後述する実施例３（図４），実施例４（図５）は、塗布具２０はその底部が容器本体１０内において受け皿４０に保持され、容器本体１０の底部側端部１３は回動可能に形成されており、この底部側端部１３の回動に伴って受け皿４０が上下動するように構成することにより、塗布具２０の繰り出しと戻しを行うようにしたものである。
【００１２】
実施例２における、スポンジ状の塗布具２０を容器本体１０の内部に繰り出し自在に設けるための構成を説明する。
実施例２におけるスポンジ状の塗布具２０の繰り出しは、基本的に公知の口紅容器に用いられる構成とほぼ共通する構造に基いて行われる。
図３に示すとおり、容器本体１０は、縦長ガイド孔１４ａを有する内筒部材１４と、この内筒部材１４の外周を回動可能に覆うように組み付けられた、内壁面に螺旋溝１５ａを有する外筒部材１５と、内筒部材１４内に上下移動可能に収容され、内筒部材１４の縦長ガイド孔１４ａ及び外筒部材１５の螺旋溝１５ａ内に係合される係合ピン４４を有する、塗布具２０を保持する受け皿４０と、を有してなる。内筒部材１４の下端部はハカマ部材１４ｂに嵌合固定され、容器本体１０の底部側端部１３を形成している。符号１５ｂは、外筒部材１５の外周に被せて外筒部１５に一体的に固定される外装筒材である。
実施例２によれば、容器本体１０の底部側端部１３（ハカマ部材１４ｂ）を回動することにより、内筒部材１４が同様に回動し、これに伴い、塗布具２０を保持する受け皿４０は、その係合ピン４４が内筒部材１４の縦長ガイド孔１４ａ及び外筒部材１５の螺旋溝１５ａ内に係合した状態を維持しつつ、容器本体１０内を上下動する。したがって、受け皿４０に保持された塗布具２０を任意の高さ位置に繰り出し、また戻すことができる。塗布具２０の繰り出し程度は無段階に調整できる。
【実施例３】
【００１３】
図４は実施例３に係る化粧料塗布器１の縦断面図である。
実施例３における、スポンジ状の塗布具２０を容器本体１０の内部に繰り出し自在に設けるための構成を説明する。
実施例３におけるスポンジ状の塗布具２０の繰り出しは、基本的に公知の口紅容器に用いられる構成とほぼ共通する構造に基いて行われる。
図４に示すとおり、容器本体１０は、次の構成を有している。すなわち、上壁部５１の中心に雌ネジ部５２が形成され、かつ側壁部５３の外周部にリング状の係止溝５４が形成された支持筒５０と、この支持筒５０の外周部を回動可能に覆い、前記係止溝５４に係止される係止片６１を下部に有するとともに内壁面に軸心方向のガイド溝６２が形成された筒部材６０と、筒部材６０内に上下移動可能に取り付けられた、塗布具２０を保持する受け皿４０とを有する。そして、この受け皿４０は、前記筒部材６０のガイド溝６２と係合する係合ピン４５と、受け皿の中心下方に突出し、前記支持筒５０の雌ネジ部５２と螺合するネジ棒４６とを有する。支持筒５０の下端部は、ハカマ部材１４ｂに嵌合固定され、容器本体１０の底部側端部１３を形成している。
実施例３によれば、容器本体１０の底部側端部１３（ハカマ部材１４ｂ）を回動することにより、支持筒５０が同様に回動し、これに伴い、塗布具２０を保持する受け皿４０は、その係合ピン４５が筒部材６０のガイド溝６２と係合した状態を維持しつつ、容器本体１０内を上下動する。したがって、受け皿４０に保持された塗布具２０を任意の高さ位置に繰り出し、また戻すことができる。塗布具２０の繰り出し程度は無段階に調整できる。
【実施例４】
【００１４】
図５は実施例４に係る化粧料塗布器１の縦断面図である。
実施例４における、スポンジ状の塗布具２０を容器本体１０の内部に繰り出し自在に設けるための構成を説明する。
実施例４におけるスポンジ状の塗布具２０の繰り出しは、基本的に公知の固形糊繰出容器に用いられる構成とほぼ共通する構造に基いて行われる。
図５に示すとおり、容器本体１０は、次の構成を有している。すなわち、上壁部７１の中心に上方にネジ棒７２が突出形成され、上壁部７１に連設された側壁部７３の外周部にリング状の係止溝７４が形成され、かつ段部７５を介して形成された外周壁部７６（容器本体１０の底部側端部１３を形成している。）を有する底栓７０と、前記係止溝７４に係止される係止片８１を下部に有し、底栓７０に対し回動可能に取り付けられ、内壁面に軸心方向のガイド突条８２が形成された外筒部材８０と、外筒部材８０内に上下移動可能に取り付けられた、塗布具２０を保持する受け皿４０とを有する。そして、この受け皿４０は、その中心に前記ネジ棒７２に螺合する雌ネジ部４７と、外周側壁に前記外筒部材８０のガイド突条８２と係合する、軸心方向の凹溝４８とを有する。
実施例４によれば、容器本体１０の底部側端部１３（底栓７０）を回動することにより、塗布具２０を保持する受け皿４０は、その雌ネジ部４７とネジ棒７２との螺合並びに凹溝４８と外筒部材８０のガイド突条８２との係合による案内によって、容器本体１０内を上下動する。したがって、受け皿４０に保持された塗布具２０を任意の高さ位置に繰り出し、また戻すことができる。塗布具２０の繰り出し程度は無段階に調整できる。
【実施例５】
【００１５】
図６は実施例５に係る化粧料塗布器１の縦断面図である。
実施例５における、スポンジ状の塗布具２０を容器本体１０の内部に繰り出し自在に設けるための構成を説明する。
塗布具２０が保持された皿状の受け皿４０には、その外周部に容器本体１０の内壁と当接して摺動可能な接触部４０ａが形成されており、受け皿４０は、容器本体１０の内部を軸心方向に沿って上下動できるようになっている。この接触部４０ａは、弾性を有するゴム材で構成することができる。そして、容器本体１０の底部には指を挿入可能な大きさの透孔１０ｃが形成されている。
実施例５におけるスポンジ状の塗布具２０の繰り出しは、容器本体１０の底部に形成された透孔１０ｃに指を挿入することにより、塗布具２０を保持する受け皿４０の底部を上方に押し上げることによって行われる。使用後は、容器本体１０から突出した塗布具２０を指で押し下げればよい。
なお、容器本体１０を手で掴んだときに半径方向に撓むことのできる程度の軟質な材料で容器本体１０を構成すると、使用時、容器本体１０を掴むことにより塗布具２０を容器本体１０を介して押えることができ、塗布具２０が不用意に容器本体１０の内部に引っ込んでしまうの防ぎ、所定位置に保持された状態で使用することができる。
【実施例６】
【００１６】
図７は実施例６に係る化粧料塗布器１の縦断面図である。実施例６は実施例１及び実施例５の変形例に相当する。
実施例６における、スポンジ状の塗布具２０を容器本体１０の内部に繰り出し自在に設けるための構成を説明する。
塗布具２０はその底部が容器本体１０内において受け皿４０に保持され、該受け皿４０は容器本体１０の内部壁面に沿って上下動可能に設けられており、容器本体１０の底部には透孔１０ｃが形成されている。
受け皿４０には外側に突出するレバー（突起）４３が設けられている。一方、容器本体１０の内側面には、レバー４３を容器本体１０の軸心方向に移動させるための、軸心方向に延びる細長いスライド溝１６（透孔であってもよい）が設けられ、かつレバー４３を所定の高さ位置に保持するための係止溝１７（透孔であってもよい）がスライド溝１６の長手方向に適宜間隔をおいて複数設けられている。係止溝１７は、スライド溝１６にほぼ直交する方向に形成され、スライド溝１６に接続している。
実施例６におけるスポンジ状の塗布具２０の繰り出しは、容器本体１０の底部に形成された透孔１０ｃに指を挿入し、塗布具２０を保持する受け皿４０の底部を上方に押し上げることにより、レバー４３がスライド溝１６に係合した状態で移動することにより行われる。また、塗布する際は、レバー４３を半径方向に回動させ、係止溝１７に位置させることにより、塗布具２０の繰り出し程度（高さ方向の位置）を決めて固定することができる。係止溝１７はスライド溝１６の長手方向に適宜間隔をおいて複数設けられているため、塗布具２０の繰り出し程度は多段階に調整できる。受け皿４０の底部には、受け皿４０の回動及び引き込みを容易にするための摘み部４９が形成されている。
【実施例７】
【００１７】
図８は、前記実施例１〜６に適用可能な、化粧料９０の設け方を示すもので、化粧料９０は、皿状の容器９１に充填された状態でキャップ３０の内部に着脱自在に装填されているものである。このような構成によれば、化粧料９０が減ったときなど、化粧料９０を容器９１とともにキャップ３０から取り外すことができるため、化粧料の詰替え、交換も容器単位で簡単に行うことができ、便利である。
図８（ａ）（縦断面図）において、化粧料９０は、周壁部を有する皿状の容器９１に充填され、容器９１の底部側がキャップ３０の上面側に位置するように、キャップ３０の内部に嵌め込み装填されている。キャップ３０の天板部には透孔３１が設けられており、この透孔３１に棒あるいは手指を通して容器９１を押すことにより、化粧料９０を容器９１とともに取り外すことができるようになっている。
図８（ｂ）（ｃ）及び（ｄ）は図８（ａ）の変形例で、（ｂ）は縦断面図、（ｃ）（ｄ）は収容部３２の回動状態を示す底面図である。この例では、化粧料９０が充填された皿状の容器９１は、キャップ３０に設けた収容部３２に嵌め込み装填されている。収容部３２は、皿状の容器９１が収容されるもので、キャップ３０の外径に適合する平面形状を有し、その縁部３２ａに位置する軸部３３を支点としてキャップ３０に、水平方向に回動可能に設けられている。図８（ｃ）さらに（ｄ）に示すように、収容部３２を、軸部３３を支点として回動させ、キャップ３０から水平方向に引き出すことができる。この例では、収容部３２は、互いに固定された関係にあるキャップ３０の天板部３０ａとキャップ３０の胴部３０ｂとの間に設けられている。符号３５は、収容部３２を使用後もとの位置に戻す際、所定位置に保持するためのストッパーである。
【実施例８】
【００１８】
図９は、前記実施例１〜６に適用可能なスポンジ状の塗布具２０の構成例を示す図であり、（ａ）は斜視図、（ｂ）は（ａ）の切込部における平断面図、（ｃ）（ｄ）は他の切込態様を示す平断面図である。
図示のとおり、塗布具２０には、塗布具２０の径方向（軸心とほぼ直交する方向）の切除（切り離し）を可能とするための切込２１が、塗布具２０の長さ（軸心）方向に適宜間隔をおいて複数段にわたり、形成されている。このような切込を設けることにより、使用によって汚れた塗布具２０の先端部分の切除を、鋏などの器具を用いることなく手指のみで簡単に行うことができ、使い勝手がよいものとなる。
このような切込２１は、塗布具２０の外側面から内方に向けて切断刃を入れることにより形成することができる。切込２１は、例えば、図９（ａ）（ｂ）に示すように、塗布具２０の径方向の中心から放射状に延びる複数の線状の連結部２２，２２間に形成されてなる形態を採ることができる。この場合、切込２１によって形成される面２１ａは扇形状となる。また、切込２１は、例えば、図９（ｃ）に示すように、塗布具２０の径方向に互いにほぼ平行に延びる複数の線状の連結部２２，２２間に形成されてなる形態を採ることができる。図９（ｄ）は図９（ｃ）の変形例で、塗布具２０の径方向に互いにほぼ平行に延びる複数の線状の連結部２２，２２が、夫々連続せず、断続的に設けられている（鎖線ないし破線状に形成してもよい）ものである。
なお、スポンジ状の塗布具２０は、塗布具２０の外側面から内方に向けて切断刃を入れることにより切込を設ける上記の方法のほか、もともと複数個に分けられているものを、点接着ないし線接着（溶着を含む）によって互いに連結して積層することにより構成してもよい。
【００１９】
以上、本考案を実施するための形態について説明したが、本考案は上記したものに限定されるものではなく、本考案の要旨の範囲で適宜変更、付加等して実施することができるものである。
【図面の簡単な説明】
【００２０】
【図１】実施例１に係る化粧料塗布器１の斜視図である。
【図２】実施例１に係る化粧料塗布器１の縦断面図である。
【図３】実施例２に係る化粧料塗布器１の縦断面図である。
【図４】実施例３に係る化粧料塗布器１の縦断面図である。
【図５】実施例４に係る化粧料塗布器１の縦断面図である。
【図６】実施例５に係る化粧料塗布器１の縦断面図である。
【図７】実施例６に係る化粧料塗布器１の縦断面図である。
【図８】化粧料９０の設け方を示す図である。
【図９】塗布具２０の構成例を示す図であり、（ａ）は斜視図、（ｂ）（ｃ）（ｄ）は切断面の形成例を示す図である。
【符号の説明】
【００２１】
１  化粧料塗布器
１０  容器本体
１０ａ  底部
１０ｃ  透孔
１１  スライド孔
１２  係止孔
１３  容器本体の底部側端部
２０  塗布具
２１  切込
３０  キャップ
３２  収容部
３３  軸部
４０  受け皿
４３  レバー
９０  化粧料
９１  容器
【図１】
0003110661.tif 000003
【図２】
0003110661.tif 000004
【図３】
0003110661.tif 000005
【図４】
0003110661.tif 000006
【図５】
0003110661.tif 000007
【図６】
0003110661.tif 000008
【図７】
0003110661.tif 000009
【図８】
0003110661.tif 000010
【図９】
0003110661.tif 000011